(57)【要約】  神経学的パラメータと心臓血管のパラメータとを動的に相関させ、これを使用して患者を診断し処置するための新規な方法及び装置。
2009531075.tif 000002
【特許請求の範囲】
【請求項１】
患者の神経学的系と心臓血管系との間の相互関係を識別するための方法であって、
前記患者の少なくとも１つの神経学的パラメータを検出するステップと、
前記患者の少なくとも１つの心臓血管のパラメータを検出するステップと、
前記の検出した神経学的パラメータのうち少なくとも１つと、前記の検出した心臓血管のパラメータのうち少なくとも１つとを動的に相関させるステップであって、これを使用して前記患者の前記神経学的系と心臓血管系との間の相互関係を識別するようにするステップと
を含む方法。
【請求項２】
前記患者の前記神経学的系と心臓血管系との間の前記相互関係の識別は、前記患者の少なくとも１つの所望でない症状を処置するために利用する、請求項１に記載の方法。
【請求項３】
前記症状は、鬱状態に関係する、請求項２に記載の方法。
【請求項４】
前記処置は、主として医療上のものである、請求項２に記載の方法。
【請求項５】
前記の医療上の処置は、投薬、摂生、又はプロトコルの動的な組み合わせを含む、請求項４に記載の方法。
【請求項６】
前記患者の前記神経学的系と心臓血管系との間の前記相互関係の識別は、前記患者の少なくとも１つの所望でない状態を予防するために利用する、請求項１に記載の方法。
【請求項７】
前記状態は、鬱状態に関係する、請求項６に記載の方法。
【請求項８】
予防は、主として医療上の処置により達成する、請求項６に記載の方法。
【請求項９】
前記医療上の処置は、投薬、摂生、又はプロトコルの動的な組み合わせを含む、請求項８に記載の方法。
【請求項１０】
前記の状態の予防は、主として、個別に全体的方法論を含むか、又は少なくとも１つの他の全体論的方法論と組み合わせた全体的方法論を含む、請求項６に記載の方法。
【請求項１１】
前記全体論的方法論は、精神的コンディショニング、鍼療法、又は感覚の刺激を含む、請求項１０に記載の方法。
【請求項１２】
前記感覚は、視覚、嗅覚、触覚、聴覚、及び味覚を含む、請求項１１に記載の方法。
【請求項１３】
前記の動的な相関は、前記患者に対する少なくとも１つの外部刺激と同時に、それに応じて開始する、請求項１に記載の方法。
【請求項１４】
患者の神経学的系と生物学的挙動との間の相互関係を識別するための方法であって、
前記患者の少なくとも１つの神経学的パラメータを検出するステップと、
前記患者の少なくとも１つの生物学的パラメータを検出するステップと、
前記の検出した神経学的パラメータのうち少なくとも１つと、前記の検出した生物学的パラメータのうち少なくとも１つとを動的に相関させるステップであって、これを使用して前記患者の前記神経学的系と生物学的挙動との間の相互関係を識別するようにするステップと
を含む方法。
【請求項１５】
前記生物学的挙動は、前記患者の遺伝的プロファイルを含む、請求項１４に記載の方法。
【請求項１６】
前記遺伝的プロファイルは、任意の１つのマーカー又は複数のマーカーの組み合わせを含み、前記マーカーは、前記患者の状態に向かう傾向を示唆するものである、請求項１５に記載の方法。
【請求項１７】
前記相互関係の識別は、前記状態の予防、診断、処置、又は前記状態に対する他の所望の治療上のアプローチを容易にする、請求項１６に記載の方法。
【請求項１８】
前記状態は、認識可能、測定可能、又は観察可能な表現型又は遺伝子型である、請求項１６に記載の方法。
【請求項１９】
前記の動的な相関は、前記患者に対する少なくとも１つの外部刺激と同時に、それに応じて開始する、請求項１４に記載の方法。
【請求項２０】
患者の心臓血管系と生物学的挙動との間の相互関係を識別するための方法であって、
前記患者の少なくとも１つの心臓血管のパラメータを検出するステップと、
前記患者の少なくとも１つの生物学的パラメータを検出するステップと、
前記の検出した心臓血管のパラメータのうち少なくとも１つと、前記の検出した生物学的パラメータのうち少なくとも１つとを動的に相関させるステップであって、これを使用して前記患者の前記心臓血管系と生物学的挙動との間の相互関係を識別するようにするステップと
を含む方法。
【請求項２１】
前記生物学的挙動は、前記患者の遺伝的プロファイルを含む、請求項２０に記載の方法。
【請求項２２】
前記遺伝的プロファイルは、任意の１つのマーカー又は複数のマーカーの組み合わせを含み、前記マーカーは、前記患者の状態に向かう傾向を示唆するものである、請求項２１に記載の方法。
【請求項２３】
前記相互関係の識別は、前記状態の予防、診断、処置、又は前記状態に対する他の所望の治療上のアプローチを容易にする、請求項２２に記載の方法。
【請求項２４】
前記状態は、認識可能、測定可能、又は観察可能な表現型又は遺伝子型である、請求項２２に記載の方法。
【請求項２５】
前記の動的な相関は、前記患者に対する少なくとも１つの外部刺激と同時に、それに応じて開始する、請求項２０に記載の方法。
【請求項２６】
患者の神経学的系と心臓血管系との相互関係を識別するための装置であって、
前記患者の少なくとも１つの神経学的パラメータを検出するための神経学的装置と、
前記患者の少なくとも１つの心臓血管のパラメータを検出するための心臓血管の装置と、
前記の検出した神経学的パラメータのうち少なくとも１つと、前記の検出した心臓血管のパラメータのうち少なくとも１つとを動的に相関させるための計算装置であって、これを使用して前記患者の前記神経学的系と心臓血管系との間の相互関係を識別するようにする前記計算装置と
を備えた装置。
【請求項２７】
患者の第１の解剖学的システムと第２の解剖学的システムとの間の相互関係を識別するための方法であって、
前記患者の少なくとも１つの前記第１の解剖学的システムのパラメータを検出するステップと、
前記患者の少なくとも１つの前記第２の解剖学的システムのパラメータを検出するステップと、
前記第１の解剖学的システムの前記の検出したパラメータのうち少なくとも１つと、前記第２の解剖学的システムの前記の検出したパラメータのうち少なくとも１つとを動的に相関させるステップであって、これを使用して前記患者の前記第１の解剖学的システムと第２の解剖学的システムとの間の相互関係を識別するようにするステップと
を含む方法。
【請求項２８】
患者の第１の解剖学的システムと第２の解剖学的システムとの間の相互関係を識別するための装置であって、
前記患者の少なくとも１つの前記第１の解剖学的システムのパラメータを検出するための装置と、
前記患者の少なくとも１つの前記第２の解剖学的システムのパラメータを検出するための装置と、
前記第１の解剖学的システムの前記の検出したパラメータのうち少なくとも１つと、前記第２の解剖学的システムの前記の検出したパラメータのうち少なくとも１つとを動的に相関させるための計算装置であって、これを使用して前記患者の前記第１の解剖学的システムと第２の解剖学的システムとの間の相互関係を識別するようにする前記計算装置と
を備えた装置。
【請求項２９】
神経学的パラメータと心臓血管のパラメータとを動的に相関させ、これを使用して患者を診断し処置するための新規な方法。
【請求項３０】
神経学的パラメータと心臓血管のパラメータとを動的に相関させ、これを使用して患者を診断し処置するための新規な装置。
【発明の詳細な説明】
【技術分野】
【０００１】
この特許出願は、継続中の先行の米国仮特許出願番号６０／７６５，８３４に優先権を主張し、この米国仮特許出願番号６０／７６５，８３４は、神経学的パラメータと心臓血管のパラメータとを動的に相関させ、これを使用して患者を診断し処置するための方法及び装置に対し、２００６年２月７日にベルナルド・ゴードンらによって出願されたものであり（代理人の包帯番号はＮＥＵＲＯＬＯＧＩＣＡ−２２  ＰＲＯＶである）、この特許出願は、これにより、ここに参照によって組み込むものとする。
【０００２】
この発明は、一般的に医療上の方法及び装置に関し、より詳細には、解剖学的パラメータを互いに相関させ、これを使用して、患者の診断・処置及び他の医療上の障害の予防の一方又は双方を行うための方法及び装置に関する。
【背景技術】
【０００３】
過去数十年間、特に、高速で高精度なアナログデジタル変換技法が導入されて以来、特定の神経学的パラメータの測定及びイメージングの一方又は双方を行うための方法及び装置は実質的に発展してきており、特定の心臓血管のパラメータの測定及びイメージングの一方又は双方を行うための方法及び装置もまた実質的に発展してきている。一般的に、研究者達及び医療現場の人々の一方又は双方は、彼らの個々の関心領域に従い、比較的個々に区別された（即ち単一の）方法論を利用して、特定の解剖学的パラメータを測定又はイメージングしてきた。イメージングの目的に対し、これらの方法論は、Ｘ線コンピュータ補助断層撮影（ＣＴ）、磁気共鳴映像法（ＭＲＩ）、超音波、陽電子放射断層撮影（ＰＥＴ）、単一光子射出コンピュータ断層撮影（ＳＰＥＣＴ）、核医学、低温磁性現象等のイメージング能力を利用してきた。他の測定システムは、心拍数モニタ、超音波ドップラー・システム、光学測定システム、心電計、脳波計、電気的断層撮影等を利用してきた。文献は、これら利用可能な技法を利用してなされた様々な研究で充実している。
【発明の開示】
【発明が解決しようとする課題】
【０００４】
しかし、様々な神経学的パラメータと心臓血管のパラメータとを同時に記録し、そのような神経学的パラメータと心臓血管のパラメータとの間の相互関係を動的に識別することが可能な方法及び装置であって、これに基づき、患者の診断・処置及び他の医療上の障害の予防の一方又は双方を行うための前記方法及び装置は、これまで存在していないようである。とりわけ、神経学的系と心臓血管系の両方の、電気的パラメータ、化学的パラメータ、電気化学的パラメータ、及び機械的パラメータのうちの１つ以上の様々なパラメータを同時に決定し、これらを動的に相関させるための方法及び装置であって、この神経学的系と心臓血管系との間の相互関係を識別し、それにより、これを使用して、患者の診断・処置及び他の医療上の障害の予防の一方又は双方を行うようにする前記方法及び装置は、これまで存在していないようである。
【課題を解決するための手段】
【０００５】
結果として、本発明の１つの目標は、患者の神経学的パラメータと心臓血管のパラメータの両方を同時に決定し、神経学的系と心臓血管系との間の相互関係を動的に識別するための新規なシステムであって、今まで利用不可能だったデータ及び情報を医療現場の人々に提供し、それによって患者の診断・処置の強化及び他の医療上の障害の予防の一方又は双方を行うようにする前記新規なシステムを提供することである。とりわけ、神経学的パラメータと心臓血管のパラメータとの間の相互関係を識別することは、不安、鬱状態、強迫行動、睡眠時無呼吸、心的外傷後ストレス障害、及び他の医療上の状態の、可能性のある原因と結果のより良い理解を可能にし、並びにこれらの診断・処置の改善及び他の医療上の障害の予防の一方又は双方を可能にする。
【０００６】
この目的に対し、神経学的パラメータと心臓血管のパラメータとを動的に相関させ、これを使用して、患者の診断・処置及び他の医療上の障害の予防の一方又は双方を行うための新規な方法及び装置を提供する。
【０００７】
より詳細には、本発明の一形態において、神経学的なパラメータと心臓血管のパラメータとを動的に相関させ、これを使用して、患者の診断・処置及び他の医療上の障害の予防の一方又は双方を行うための新規な方法及び装置を提供する。
【０００８】
本発明の別形態において、神経学的パラメータと心臓血管のパラメータとを動的に相関させ、これを使用して、患者の診断・処置及び他の医療上の障害の予防の一方又は双方を行うための新規な装置を提供する。
【０００９】
本発明の別形態において、患者の神経学的系と心臓血管系との間の相互関係を識別するための方法であって、
前記患者の少なくとも１つの神経学的パラメータを検出するステップと、
前記患者の少なくとも１つの心臓血管のパラメータを検出するステップと、
前記の検出した神経学的パラメータのうち少なくとも１つと、前記の検出した心臓血管のパラメータのうち少なくとも１つとを動的に相関させるステップであって、これを使用して前記患者の前記神経学的系と心臓血管系との間の相互関係を識別するようにするステップと
を含む方法を提供する。
【００１０】
本発明の別形態において、患者の神経学的系と生物学的挙動との間の相互関係を識別するための方法であって、
前記患者の少なくとも１つの神経学的パラメータを検出するステップと、
前記患者の少なくとも１つの生物学的パラメータを検出するステップと、
前記の検出した神経学的パラメータのうち少なくとも１つと、前記の検出した生物学的パラメータのうち少なくとも１つとを動的に相関させるステップであって、これを使用して前記患者の前記神経学的系と生物学的挙動との間の相互関係を識別するようにするステップと
を含む方法を提供する。
【００１１】
本発明の別形態において、患者の心臓血管系と生物学的挙動との間の相互関係を識別するための方法であって、
前記患者の少なくとも１つの心臓血管のパラメータを検出するステップと、
前記患者の少なくとも１つの生物学的挙動を検出するステップと、
前記の検出した心臓血管のパラメータのうち少なくとも１つと、前記の検出した生物学的パラメータのうち少なくとも１つとを動的に相関させるステップであって、これを使用して前記患者の前記心臓血管系と生物学的挙動との相互関係を識別するようにするステップと
を含む方法を提供する。
【００１２】
本発明の別形態において、患者の神経学的系と心臓血管系との間の相互関係を識別するための装置であって、
前記患者の少なくとも１つの神経学的パラメータを検出するための神経学的装置と、
前記患者の少なくとも１つの心臓血管のパラメータを検出するための心臓血管の装置と、
前記の検出した神経学的パラメータのうち少なくとも１つと、前記の検出した心臓血管のパラメータのうち少なくとも１つとを動的に相関させるための計算装置であって、これを使用して前記患者の前記神経学的系と心臓血管系との間の相互関係を識別するようにする前記計算装置と
を備えた装置を提供する。
【００１３】
本発明の別形態において、患者の第１の解剖学的システムと第２の解剖学的システムとの間の相互関係を識別するための方法であって、
前記患者の前記第１の解剖学的システムの少なくとも１つのパラメータを検出するステップと、
前記患者の前記第２の解剖学的システムの少なくとも１つのパラメータを検出するステップと、
前記第１の解剖学的システムの前記の検出したパラメータのうち少なくとも１つと、前記第２の解剖学的システムの前記の検出したパラメータのうち少なくとも１つとを動的に相関させるステップであって、これを使用して前記患者の前記第１の解剖学的システムと第２の解剖学的システムとの間の相互関係を識別するようにするステップと
を含む方法を提供する。
【００１４】
本発明の別形態において、患者の第１の解剖学的システムと第２の解剖学的システムとの間の相互関係を識別するための装置であって、
前記患者の前記第１の解剖学的システムの少なくとも１つのパラメータを検出するための装置と、
前記患者の前記第２の解剖学的システムの少なくとも１つのパラメータを検出するための装置と、
前記第１の解剖学的システムの前記の検出したパラメータのうち少なくとも１つと、前記第２の解剖学的システムの前記の検出したパラメータのうち少なくとも１つとを動的に相関させるための計算装置であって、これを使用して前記患者の前記第１の解剖学的システムと第２の解剖学的システムとの間の相互関係を識別するようにする前記計算装置と
を備えた装置を提供する。
【発明を実施するための最良の形態】
【００１５】
本発明のこれら及び他の目標及び特徴は、以下の本発明の好適実施形態の詳細な説明により、より完全に開示し、明瞭に表すものであり、添付の図面と共に考慮すべきものであり、同じ数字は同じ部分に言及したものである。
【００１６】
図1を最初に見ると、機能的ＭＲＩと刺激とを使用して神経学的パラメータを評価する先行技術のシステム５を示している。より詳細には、システム５は、患者Ｐの神経学的パラメータについてのデータを取得することに適合した機能的ＭＲＩスキャナ１０を備えている。この患者が機能的ＭＲＩスキャニングを受ける間、刺激発生器２０を使用し、この患者の神経学的系を刺激する。刺激発生器２０は、様々な光、音、におい、味、温度、身体的接触、イメージ、及び思い浮かべられる状況（感情を引き起こすイメージ及び思い浮かべられる状況を含むが、これらに限定されない）等でこの患者を刺激するよう構成することができる。この患者の神経学的系が刺激発生器２０を使用して刺激されると、この患者の神経学的系は、機能的ＭＲＩスキャナを使用して同時に観察され、この患者の神経学的系に対する変化は記録される。この患者の神経学的パラメータに対するこれらの変化は、この患者の神経学的系に加えられる特定の刺激と相関させられ、そしてこの患者の神経学的系に関する結論が得られることになる。この知見は、それからこの患者の診断及び処置の一方又は双方を行うために使用することができる。重要なことに、図１の先行技術のシステムと共に、この患者の神経学的パラメータの評価は存在するが、この患者の心臓血管のパラメータの関連した評価は存在しない。
【００１７】
次に図２を見ると、心臓血管のパラメータを評価するためのＣＴスキャナを使用する、先行技術のシステム２５を示している。より詳細には、システム２５は患者Ｐの心臓血管のパラメータについてのデータを取得することに適合したＣＴスキャナ３０を備えている。比較的遅いＣＴスキャナをこの患者の比較的早い鼓動と同期させるために、心拍数モニタ３５（例えば、ＥＫＧマシン）を使用して、この患者の鼓動を検出し、ＣＴスキャナ３０をトリガすることができる（即ち、高速写真撮影におけるストロボスコープの使用と幾分似たやり方で）。ＣＴスキャナ３０によって取得されたイメージは分析され、そしてこの患者の心臓血管系に関する結論が得られることになる。この知見は、それからこの患者の診断及び処置の一方又は双方を行うために使用することができる。重要なことに、図２の先行技術のシステムと共に、この患者の心臓血管系の評価は存在するが、この患者の神経学的系の関連した評価は存在しない。
【００１８】
次に図３を見ると、新規なシステム１００を示しており、新規なシステム１００は、神経学的パラメータと心臓血管のパラメータの両方を動的に関連させて、患者の神経学的系と心臓血管系との間の相互関係を識別するようにし、並びにこれを使用して、患者の診断・処置及び他の医療上の障害の予防の一方又は双方を行うための方法及び装置を提供する。
【００１９】
より詳細には、システム１００は、患者Ｐの神経学的パラメータについてのイメージ・データを取得することに適合した神経学的イメージング・デバイス１０５と、この患者へ刺激を与えることに適合した刺激発生器１１５と、この患者の心臓血管のパラメータについてのイメージ・データを取得することに適合した心臓血管のイメージング・デバイス１２０とを好ましくは備えている。例示の方法により、しかしこれらに限定されることなしに、神経学的イメージング・デバイス１０５及び心臓血管のイメージング・デバイス１２０の一方又は双方は、Ｘ線コンピュータ補助断層撮影（ＣＴ）スキャナ、磁気共鳴映像法（ＭＲＩ）スキャナ、超音波デバイス、陽電子放射断層撮影（ＰＥＴ）スキャナ、単一光子放射コンピュータ断層撮影（ＳＰＥＣＴ）スキャナ、核医学デバイス、低温磁性現象デバイス等を備えることができ、刺激発生器１１５は、様々な光、音、におい、味、温度、身体的接触、イメージ、及び思い浮かべられる状況（感情を引き起こすイメージ及び思い浮かべられる状況を含むが、これらに限定されない）等でこの患者を刺激するよう構成された装置を備えることができる。
【００２０】
システム１００はまた、他の神経学的パラメトリック測定デバイス１２３（例えば、ＥＥＧデバイス、電気的断層撮影システム等）及び他の心臓血管のパラメトリック測定デバイス１２５（例えば、心拍数モニタ、超音波ドップラー・システム、光学測定システム、心電計等）の一方又は双方を備えることができる。
【００２１】
神経学的イメージング・デバイス１０５、心臓血管のイメージング・デバイス１２０、他の神経学的パラメトリック測定デバイス１２３及び他の心臓血管のパラメトリック測定デバイスのデータ出力は、データ変換デバイス１３０に接続し、データ変換デバイス１３０では、データ相関用コンピュータ１３５に渡す前に、このデータを有用なデータフォーマットに正規化する。
【００２２】
システム１００はまた、精密クロック装置１４０を備え、精密クロック装置１４０は神経学的イメージング・デバイス１０５、刺激発生器１１５、心臓血管のイメージング・デバイス１２０、他の神経学的パラメトリック測定デバイス１２３及び他の心臓血管のパラメトリック測定デバイス１２５、データ変換デバイス１３０及びデータ相関用コンピュータ１３５に接続している。その上、システム１００は、システム１００を動作させるための制御コンピュータ１４５を備えている。
【００２３】
本発明に従い、制御コンピュータ１４５は、神経学的イメージング・デバイス１０５、刺激発生器１１５、心臓血管のイメージング・デバイス１２０、他の神経学的パラメトリック測定デバイス１２３と、及び他の心臓血管のパラメトリック測定デバイス１２５のうちの１つ以上を同時に動作させるために使用して、患者の神経学的パラメータ及び心臓血管のパラメータに関するデータを取得するようにする。このデータはデータ変換デバイス１３０を介して相関コンピュータ１３５に渡され、相関コンピュータ１３５では、この患者の神経学的パラメータと心臓血管のパラメータとの間の相関が識別され、そしてこの患者の神経学的系と心臓血管系との間の相互関係に関する結論が得られることになる。この知見は、それから、この患者の診断及び処置の一方又は双方をすること、並びに他の医療上の障害を予防することの一方又は双方のために使用することができる。
【００２４】
次に図４を見ると、ＣＴスキャナを使用する新規なシステム１００の例示実施形態を示している。より詳細には、本発明のこの形態において、システム１００は、患者Ｐの神経学的パラメータについてのイメージ・データを取得することに適合したＣＴスキャナ１０５Ａと、この患者に刺激を与えることに適合した刺激発生器１１５と、この患者の心臓血管のパラメータについてのイメージ・データを取得することに適合した超音波心臓検査デバイス１２０Ａとを備えている。システム１００はまた、他の神経学的パラメトリック測定デバイス、例えばＥＥＧモニタ１２３Ａを備えることができる。そしてシステム１００はまた、他の心臓血管のパラメトリック測定デバイス、例えばＥＫＧモニタ１２５Ａ、心拍出量モニタ１２５Ｂ、心イベント検出器１２５Ｃ等を備えることができる。更に、データ変換デバイス１３０と、データ相関用コンピュータ１３５と、精密クロック装置１４０と、制御コンピュータ１４５とを提供する。本発明に従い、システム１００は、この患者の神経学的パラメータ及び心臓血管のパラメータに関するデータを収集し、この患者の神経学的パラメータと心臓血管のパラメータとの間の相関を識別して、この患者の神経学的系と心臓血管系との間の相互関係に関する結論を得ることができるようにする。この知見は、それから、この患者の診断及び処置の一方又は双方をすること、並びに他の医療上の障害を予防することの一方又は双方のために使用することができる。
【００２５】
次に図５を見ると、機能的ＭＲＩスキャナを使用する新規なシステム１００の例示実施形態を示している。より詳細には、本発明のこの形態において、システム１００は、患者Ｐの神経学的パラメータについてのイメージ・データを取得することに適合した機能的ＭＲＩスキャナ１０５Ｂと、この患者に刺激を与えることに適合した刺激発生器１１５と、この患者Ｐの心臓血管のパラメータについてのイメージ・データを取得するための超音波心臓検査デバイス１２０Ａとを備えている。システム１００はまた、他の神経学的パラメトリック測定デバイス、例えば電気的断層撮影デバイス１２３Ｂを備えている。そしてシステム１００はまた、他の心臓血管のパラメトリック測定デバイス、例えば血圧チューブ１２５Ｄを備えることができる。更に、データ変換デバイス１３０と、データ相関用コンピュータ１３５と、精密クロック装置１４０と、制御コンピュータ１４５とを提供する。本発明に従い、システム１００は、この患者の神経学的パラメータ及び心臓血管のパラメータに関するデータを収集し、この患者の神経学的パラメータと心臓血管のパラメータとの間の相関を識別して、この患者の神経学的系と心臓血管系との間の相互関係に関する結論を得ることができるようにする。この知見は、それから、この患者の診断及び処置の一方又は双方をすること、並びに他の医療上の障害を予防することの一方又は双方のために使用することができる。
【００２６】
次に図６を見ると、ＳＰＥＣＴスキャナを使用する新規なシステム１００の例示実施形態を示している。より詳細には、本発明のこの形態において、システム１００は、患者Ｐの神経学的パラメータについてのイメージ・データを取得することに適合したＳＰＥＣＴスキャナ１０５Ｃと、放射線源をこの患者の体内に注入してＳＰＥＣＴスキャニングを可能にするための自動注入器１５０と、この患者に刺激を与えることに適合した刺激発生器１１５と、この患者の心臓血管のパラメータについてのイメージ・データを取得することに適合した超音波心臓検査デバイス１２０Ａとを備えている。システム１００はまた、他の神経学的パラメトリック測定デバイス、例えばＥＥＧモニタ１２３Ａを備えることができる。そしてシステム１００はまた、他の心臓血管の測定デバイス、例えばＥＫＧモニタ１２５Ａ、心拍出量モニタ１２５Ｂ、心イベント検出器１２５Ｃ等を備えることができる。更に、データ変換デバイス１３０と、データ相関用コンピュータ１３５と、精密クロック装置１４０と、制御コンピュータ１４５とを提供する。本発明に従い、システム１００は、この患者の神経学的パラメータ及び心臓血管のパラメータに関するデータを収集し、この患者の神経学的パラメータと心臓血管のパラメータとの間の相関を識別して、この患者の神経学的系と心臓血管系との間の相互関係に関する結論を得ることができるようにする。この知見は、それから、この患者の診断及び処置の一方又は双方をすること、並びに他の医療上の障害を予防することの一方又は双方のために使用することができる。
【００２７】
次に図７を見ると、患者の睡眠時無呼吸を調べるために構成された新規なシステム１００の例示実施形態を示している。より詳細には、本発明のこの形態において、システム１００は、患者Ｐの神経学的パラメータについてのイメージ・データを取得することに適合したＳＰＥＣＴスキャナ１０５Ｃと、放射線源をこの患者の体内に注入してＳＰＥＣＴスキャニングを可能にするための自動注入器１５０と、この患者の心臓血管系に関するデータを取得することに適合した心臓血管のパラメトリック測定デバイス１５２（例えば、血圧検出器、脈拍数検出器、ＥＫＧ検出器、心拍出量検出器等）と、無呼吸イベント検出器１５５（例えば、呼吸モニタ、酸素飽和度検出器等）とを備えている。更に、データ変換デバイス１３０と、データ相関用コンピュータ１３５と、精密クロック装置１４０と、制御コンピュータ１４５とを提供する。本発明に従い、システム１００は、この患者の神経学的パラメータ及び心臓血管のパラメータに関するデータを収集し、この患者の神経学的パラメータと心臓血管のパラメータとの間の相関を識別して、この患者の神経学的系と心臓血管系との間の相互関係に関する結論を得ることができるようにする。この知見は、それから、この患者の診断及び処置の一方又は双方をすること、並びに他の医療上の障害を予防することの一方又は双方のために使用することができる。
【００２８】
図８は、データ変換デバイス１３０に送ることができる一般化したデータ・セットの種類の例である。
本発明の追加の解剖学的システムに対する適用
先の説明において、本発明は、患者の神経学的系と心臓血管系との間の相互関係を識別することの文脈の中で説明した。しかし、本発明は、追加の解剖学的システム、例えば消化器系、リンパ系、呼吸器系、生殖器系、筋系、泌尿器系等に適用できることにも、価値を認めるべきである。
【００２９】
本発明の人間以外の患者に対する適用
本発明は、人間に対するのと同様に、人間以外（即ち、犬や猫等の家庭のペット、馬や牛等の大きな動物、チンパンジー、クジラ、イルカ及びそれに類するもの等の他の知的動物など）に適用できることに、価値を認めるべきである。この目的に対し、ここに使用される用語「患者」は、本発明と矛盾しない最も広い可能な意味を持つことを意図している。
【００３０】
診断、処置、及び他の医療上の障害の予防のうちの１つ以上
本発明は、患者の神経学的系と心臓血管系との間の相互関係及び他の系の間の相互関係の一方又は双方を識別することを可能にさせる。この情報は、それから、診断、処置、及び他の医療上の障害の予防のうち１つ以上のために使用することができる。そのような処置又は予防は、医療上の処置を構成することができ、投薬、摂生、又はプロトコルの動的な組み合わせを含んでいる。その上、そのような処置又は予防は、個別に又は他のものとの組み合わせにおいてのいずれかにより、全体論的方法論を構成することができる。そのような全体論的方法論は、精神的コンディショニング、鍼療法、又は感覚の刺激を含むことができる。
【００３１】
修正
本発明は、ここに開示した特定の構成及び図面において示した特定の構成の一方又は双方に決して限定されるものではなく、しかしまた、本発明の範囲内の任意の修正又は等価物を含むことは理解されたい。
【図面の簡単な説明】
【００３２】
【図１】機能的ＭＲＩ及び引き起こされる刺激を使用して、神経学的パラメータを評価する先行技術の技法を示す概略図である（しかし、心臓血管のパラメータの何らかの関連した評価を欠いている）。
【図２】ＣＴを使用して、心臓血管のパラメータを評価する先行技術の技法を示す概略図である（しかし、神経学的パラメータの何らかの関連した評価を欠いている）。
【図３】神経学的パラメータと心臓血管のパラメータの両方を動的に相関させて、神経学的系と心臓血管系との間の相互関係を識別するようにする本発明の新規な技法を示す概略図である。
【図４】神経学的パラメータと心臓血管のパラメータとを相関させるために、本発明がどのようにＣＴスキャナ及び他の装置を使用するのかについての例を示す概略図である。
【図５】神経学的パラメータと心臓血管のパラメータとを相関させるために、本発明がどのように機能的ＭＲＩスキャナ及び他の装置を使用するのかについての例を示す概略図である。
【図６】神経学的パラメータと心臓血管のパラメータとを相関させるために、本発明がどのようにＳＰＥＣＴスキャナ及び他の装置を使用するのかについての例を示す概略図である。
【図７】睡眠時無呼吸システムにおける神経学的パラメータと心臓血管のパラメータとを相関させるために、本発明がどのように様々なデータ取得デバイスを使用するのかについての例を示す概略図である。
【図８】本発明の新規なシステムによって取得できる様々なデータの例を示す概略図である。
【図１】
2009531075.tif 000003
【図２】
2009531075.tif 000004
【図３】
2009531075.tif 000005
【図４】
2009531075.tif 000006
【図５】
2009531075.tif 000007
【図６】
2009531075.tif 000008
【図７】
2009531075.tif 000009
【図８】
2009531075.tif 000010